(57)【要約】【課題】用紙タイプを選択する際の利便性及び作業効率の向上を可能とした画像形成装置、制御方法、及びプログラムを提供する。【解決手段】画像形成装置は、ＣＰＵ１０１、ＲＯＭ１０３、ＨＤＤ１０４、操作部１１２、スキャナ１７０、プリンタ１９５を備える。ＣＰＵ１０１は、操作部１１２から設定された用紙サイズ、印刷及び画像処理の機能設定を基に、選択可能な用紙タイプの条件を絞り込む。簡易設定画面の表示が指示されている場合、ＣＰＵ１０１は、予め決められた数の用紙タイプに関する情報を操作部１１２に表示させる。リスト一覧詳細設定画面の表示が指示されている場合、ＣＰＵ１０１は、全ての用紙タイプに関する情報を操作部１１２にリスト形式で一覧表示させる。【選択図】図１０
2007243313.tif 000002
【特許請求の範囲】
【請求項１】
表示手段を備えた画像形成装置において、
前記画像形成装置で使用可能な用紙の情報を記憶する記憶手段と、
画像形成に必要な設定情報を入力する入力手段と、
前記記憶手段に記憶された前記用紙の情報と前記入力手段により入力された前記設定情報に基づいて、選択可能な用紙の情報を前記表示手段にリスト形式で一覧表示させる制御手段と、
を備えることを特徴とする画像形成装置。
【請求項２】
前記制御手段は、選択可能な用紙の情報を前記リスト形式で一覧表示するリスト一覧表示と、選択可能な予め決められた数の用紙の情報を表示する簡易表示とのうち、前記入力手段により設定された表示方法に対応した表示を前記表示手段に表示させることを特徴とする請求項１記載の画像形成装置。
【請求項３】
前記制御手段は、前記入力手段により用紙サイズが設定された後、選択可能な用紙の紙質に関する情報を前記リスト形式で一覧表示するリスト一覧表示と、選択可能な予め決められた数の用紙の紙質に関する情報を表示する簡易表示とのうち、前記入力手段により設定された表示方法に対応した表示を前記表示手段に表示させることを特徴とする請求項１又は２記載の画像形成装置。
【請求項４】
前記制御手段は、選択可能な用紙の紙質に関する情報を前記リスト一覧表示或いは前記簡易表示により前記表示手段に表示させる際に、以前編集された情報とそうでない情報とを区別して表示させることを特徴とする請求項１乃至３の何れかに記載の画像形成装置。
【請求項５】
前記制御手段は、前記以前編集された情報とそうでない情報とを、文字、アイコン、マークを含む表示形態の相違、或いは前記表示形態の表示色又は表示形状の相違により区別して表示させることを特徴とする請求項４記載の画像形成装置。
【請求項６】
前記制御手段は、選択可能な用紙の紙質に関する情報を前記リスト一覧表示により前記表示手段に表示させる際に、前記入力手段により設定された順番で表示させることを特徴とする請求項１乃至４の何れかに記載の画像形成装置。
【請求項７】
前記順番は、用紙の坪量順、用紙の名称の五十音順、用紙の登録順を含む群から選択されることを特徴とする請求項６記載の画像形成装置。
【請求項８】
前記制御手段は、選択可能な用紙の紙質に関する情報を前記リスト一覧表示により前記表示手段に表示させる際に、前記画像形成装置或いは使用者の定義に基づく用紙の紙質に関する情報、前記画像形成装置の機能に基づく用紙の紙質に関する情報を選択可能に表示させることを特徴とする請求項１乃至４の何れかに記載の画像形成装置。
【請求項９】
前記制御手段は、前記画像形成装置の機能に基づく用紙の紙質に関する情報が選択された場合、前記画像形成装置の機能に適合する用紙の紙質に関する情報を前記表示手段に表示させることを特徴とする請求項８記載の画像形成装置。
【請求項１０】
前記画像形成装置の機能は、用紙の両面に画像形成を行う両面機能、用紙を綴じるステイプル機能を含む群から選択されることを特徴とする請求項８記載の画像形成装置。
【請求項１１】
用紙の情報を記憶する記憶手段を備えた画像形成装置を具備する画像形成システムの制御方法であって、
画像形成に必要な設定情報を入力手段を介してユーザから受付可能にし、且つ、
前記記憶手段に記憶された前記用紙の情報と前記設定情報に基づいて、選択可能な用紙の情報をリスト形式で表示手段により表示可能にする、ことを特徴とする制御方法。
【請求項１２】
選択可能な用紙の情報を前記リスト形式で一覧表示するリスト一覧表示と、選択可能な予め決められた数の用紙の情報を表示する簡易表示とのうち、前記入力手段を介してユーザにより設定された表示方法に対応した表示を前記表示手段に実行させることを特徴とする請求項１１記載の制御方法。
【請求項１３】
前記入力手段により用紙サイズが設定された後、選択可能な用紙の紙質に関する情報を前記リスト形式で一覧表示するリスト一覧表示と、選択可能な予め決められた数の用紙の紙質に関する情報を表示する簡易表示とのうち、前記入力手段により設定された表示方法に対応した表示を前記表示手段に実行させる、ことを特徴とする請求項１１又は１２記載の制御方法。
【請求項１４】
選択可能な用紙の紙質に関する情報を前記リスト一覧表示或いは前記簡易表示により前記表示手段に表示させる際に、以前編集された情報とそうでない情報とを区別して表示させることを特徴とする請求項１１乃至１３の何れかに記載の制御方法。
【請求項１５】
選択可能な用紙の紙質に関する情報を前記リスト一覧表示或いは前記簡易表示により前記表示手段に表示させる際に、以前編集された情報とそうでない情報とを区別して表示可能とし、
前記以前編集された情報とそうでない情報とを、文字、アイコン、マークを含む表示形態の相違、或いは前記表示形態の表示色又は表示形状の相違により区別して表示させることを特徴とする請求項１１乃至１４の何れかに記載の制御方法。
【請求項１６】
選択可能な用紙の紙質に関する情報を前記リスト一覧表示により前記表示手段に表示させる際に、前記入力手段により設定された順番で表示させることを特徴とする請求項１１乃至１５の何れかに記載の制御方法。
【請求項１７】
選択可能な用紙の紙質に関する情報を前記リスト一覧表示により前記表示手段に表示させる際に、前記入力手段により設定された順番で表示可能とし、且つ、前記順番は、用紙の坪量順、用紙の名称の五十音順、用紙の登録順を含む群から選択されることを特徴とする請求項１１乃至１６の何れかに記載の制御方法。
【請求項１８】
選択可能な用紙の紙質に関する情報を前記リスト一覧表示により前記表示手段に表示させる際に、前記画像形成装置或いは使用者の定義に基づく用紙の紙質に関する情報、前記画像形成装置の機能に基づく用紙の紙質に関する情報を選択可能に表示させることを特徴とする請求項１１乃至１７の何れかに記載の制御方法。
【請求項１９】
選択可能な用紙の紙質に関する情報を前記リスト一覧表示により前記表示手段に表示させる際に、前記画像形成装置或いは使用者の定義に基づく用紙の紙質に関する情報、前記画像形成装置の機能に基づく用紙の紙質に関する情報を選択可能に表示可能にし、
前記画像形成装置の機能に基づく用紙の紙質に関する情報が選択された場合、前記画像形成装置の機能に適合する用紙の紙質に関する情報を前記表示手段に表示させることを特徴とする請求項１１乃至１８の何れかに記載の制御方法。
【請求項２０】
選択可能な用紙の紙質に関する情報を前記リスト一覧表示により前記表示手段に表示させる際に、前記画像形成装置或いは使用者の定義に基づく用紙の紙質に関する情報、前記画像形成装置の機能に基づく用紙の紙質に関する情報を選択可能に表示可能にし、
前記画像形成装置の機能は、用紙の両面に画像形成を行う両面機能、用紙を綴じるステイプル機能を含む群から選択されることを特徴とする請求項１１乃至１９の何れかに記載の制御方法。
【請求項２１】
請求項１１乃至２０の何れかに記載の制御方法を実行する為の画像形成システム。
【請求項２２】
請求項１１乃至２０の何れかに記載の制御方法を実行する為のコンピュータ読取り可能な記憶媒体。
【請求項２３】
請求項１１乃至２０の何れかに記載の制御方法を実行する為のコンピュータプログラム。
【発明の詳細な説明】
【技術分野】
【０００１】
本発明は、印刷に用いる用紙の種別を表示し選択可能とする場合に適用される画像形成装置、制御方法、画像形成システム、記憶媒体及びプログラムに関する。
【背景技術】
【０００２】
従来、複写機やプリンタ等の画像形成装置には、印刷を行う際の様々な画像処理や、印刷出力する用紙のハンドリング（ソート等の後処理）の機能設定の他に、実際に印刷を行う用紙をユーザが選択可能に構成されたものがある。また、印刷を行う用紙として、用紙の大きさや長さを示す用紙サイズの他に、用紙の紙質を示す用紙タイプを選択可能とした画像形成装置も提案されている（例えば、特許文献１、特許文献２参照）。
【特許文献１】米国特許第６７８５５０７号公報
【特許文献２】米国特許第６９６３７２１号公報
【発明の開示】
【発明が解決しようとする課題】
【０００３】
上述した画像形成装置においては、用紙タイプの名称やアイコン（絵柄）を選択画面に表示し、ユーザは表示された情報を基に目的の用紙タイプを選択するといった構成が想定される。一般的なオフィスに設置される画像形成装置においても、約十種類程度の用紙タイプを区別して選択するニーズがあると想定される。
【０００４】
また、ＰＯＤ（Print On Demand）環境等、印刷関連の業種では、数百種類の用紙タイプの中から目的の用紙タイプを選択して印刷を実行するケースが想定される。また、印刷を行う際の画像処理や印刷出力の際の用紙のハンドリングの機能設定によっては、機能設定を実現できない用紙タイプも存在する可能性がある。
【０００５】
この場合、画像形成装置において用紙タイプを選択する際には、用紙タイプがこれから行う印刷の機能設定が実現可能かどうかを考慮した上で選択しなければならない。もし、印刷の機能設定とそれを実現可能な用紙タイプの種類とを考慮せずに用紙タイプを選択した場合、印刷自体が正しく行われないだけでなく、画像形成装置の耐久性低下や破損等の可能性も考えられる。
【０００６】
換言すれば、画像形成装置において何百種類もある用紙タイプの中から目的とする用紙タイプを選択することは、ユーザにとって非常に時間を消費すると共に負担となる作業である。更に、例えば、特定のユーザにとっては、毎回の印刷作業において選択する用紙タイプが数種類に特定されているというケースも想定される。このようなケースでは、毎回何百種類という用紙タイプの中から特定の用紙タイプを選択する作業を行う必要があるため、作業効率が悪いという問題がある。
【０００７】
また、上記のように画像形成装置の選択画面に表示した用紙タイプの名称やアイコンに基づき用紙タイプを選択するという構成でも、用紙の特徴を判別しづらいという問題がある。この問題に対処するため、例えば、通常は選択画面とは別の画面に用紙タイプの詳細を別途表示する構成も考えられる。しかし、表示の一覧性が悪く、やはり選択には時間がかかってしまう等の可能性がある。
【０００８】
また、印刷の機能設定を実現可能な用紙タイプを正確に選択することは、機能と用紙タイプの関係を熟知したユーザでないと難しい。一般的なユーザは、用紙タイプの名称や特徴を示す情報だけからから正確な用紙タイプを判断することは難しい可能性もある。
【０００９】
このように、画像形成装置で印刷を行う場合において、多種類の用紙タイプの中から目的の用紙タイプを選択する際の利便性や作業効率の向上が要望されていた。
【００１０】
本発明の目的は、用紙タイプを選択する際の利便性及び作業効率の向上を可能とした画像形成装置、制御方法、画像形成システム、記憶媒体及びプログラムを提供することにある。
【課題を解決するための手段】
【００１１】
上述の目的を達成するために、本発明の画像形成装置は、表示手段を備えた画像形成装置において、前記画像形成装置で使用可能な用紙の情報を記憶する記憶手段と、画像形成に必要な設定情報を入力する入力手段と、前記記憶手段に記憶された前記用紙の情報と前記入力手段により入力された前記設定情報に基づいて、選択可能な用紙の情報を前記表示手段にリスト形式で一覧表示させる制御手段と、を備えることを特徴とする。
【発明の効果】
【００１２】
本発明によれば、選択可能な用紙の情報を表示手段にリスト形式で一覧表示させるため、多種類の用紙タイプの中から目的とする用紙タイプを素早く選択することが可能となる。これにより、用紙を選択する際の利便性及び作業効率を向上させることが可能となる。
【発明を実施するための最良の形態】
【００１３】
以下、本発明の実施の形態を図面を参照して説明する。
【００１４】
［第１の実施の形態］
図１は、画像形成システムが具備する画像形成装置全体の構成を示すブロック図である。
【００１５】
図１において、本画像形成システムが具備する画像形成装置は、コントローラユニット１００、操作部１１２、画像入力デバイスであるスキャナ１７０、画像出力デバイスであるプリンタ１９５を備えている。コントローラユニット１００は、スキャナ１７０、プリンタ１９５と接続し、一方ではＬＡＮ１１１、公衆回線（ＷＡＮ）１５１と接続することで、画像情報やデバイス情報の入出力を行う。
【００１６】
コントローラユニット１００において、ＣＰＵ１０１は、画像形成装置全体の制御を司るものであり、操作部１１２に対し後述の各種選択画面を表示させる制御を行う。また、ＣＰＵ１０１は、プログラムに基づき、図１０及び図１１のフローチャート（第１の実施の形態）、図１４のフローチャート（第２の実施の形態）に示す処理を実行する。ＲＡＭ１０２は、ＣＰＵ１０１が動作するためのシステムワークメモリであり、画像データを一時記憶する画像メモリでもある。また、ＲＡＭ１０２には、操作部１１２から設定された用紙サイズ、印刷及び画像処理の機能設定（片面印刷／両面印刷、白黒印刷／カラー印刷、拡大印刷／縮小印刷等の設定）が保存される。
【００１７】
ＲＯＭ１０３は、ブートＲＯＭとして構成され、システムのブートプログラムを格納する。ハードディスクドライブ（ＨＤＤ）１０４は、システムソフトウェア、画像データ、各種情報を格納する。また、ＲＯＭ１０３またはＨＤＤ１０４には、操作部１１２の後述の画面に表示する用紙タイプの情報（普通紙、厚紙、再生紙・・・）が格納されている。ＶＲＡＭ１０５は、ＣＰＵ１０１により生成され操作部１１２の後述の画面に表示する画像データを記憶する。
【００１８】
操作部Ｉ／Ｆ１０６は、操作部（ＵＩ：User Interface）１１２とのインターフェースを司るものであり、ＶＲＡＭ１０５に記憶された画像データを操作部１１２に対して出力する。また、操作部Ｉ／Ｆ１０６は、ユーザが操作部１１２から入力した情報をＣＰＵ１０１に伝える役割を有する。ネットワークＩ／Ｆ１１０は、ＬＡＮ１１１に接続し、情報の入出力を行う。モデム１５０は、公衆回線１５１に接続し、情報の入出力を行う。イメージバスＩ／Ｆ１０９は、システムバス１０７と画像バス１０８を接続し、データ構造を変換するバスブリッジである。システムバス１０７上には以上のデバイスが配置されている。
【００１９】
画像バス１０８は、画像データを高速で転送するバスであり、ＰＣＩ（Peripheral Component Interconnect）バスまたはＩＥＥＥ（Institute of Electrical and Electronics Engineers）１３９４により構成される。画像バス１０８上には以下のデバイスが配置されている。ラスタイメージプロセッサ（ＲＩＰ）１６０は、ＰＤＬ（Page Description Language）コードをビットマップイメージに展開する。デバイスＩ／Ｆ１２０は、コントローラ１００とスキャナ１７０及びプリンタ１９５とを配線１７１及び１９６により接続し、画像データの同期系／非同期系の変換を行う。
【００２０】
スキャナ画像処理部１８０は、スキャナ１７０により入力された画像データに対して、補正、加工、編集を行う。プリンタ画像処理部１９０は、プリンタ１９５に出力する画像データに対して、補正、解像度変換等を行う。画像回転部１３０は、画像データの回転を行う。画像圧縮部１４０は、多値画像データに対して、ＪＰＥＧ（Joint Photographic Experts Group）による圧縮伸張処理を行う。また、画像圧縮部１４０は、２値画像データに対して、ＪＢＩＧ（Joint Bi-level Image Experts Group）、ＭＭＲ（Modified Modified Read）、ＭＨ（Modified Huffman）による圧縮伸張処理を行う。
【００２１】
スキャナ１７０は、図２に示す画像入力部２００の電気的な制御を司る画像入力デバイスであり、原稿から画像データを読み取り、コントローラユニット１００に出力する。プリンタ１９５は、図２に示す画像出力部３００の電気的な制御を司る画像出力デバイスであり、コントローラユニット１００の制御に基づき用紙に画像形成を行う。
【００２２】
図２は、画像形成装置の概略構造を示す構成図である。
【００２３】
図２において、画像形成装置は、上記スキャナ１７０を含む画像入力部２００と、上記プリンタ１９５を含む画像出力部３００とから構成されている。画像入力部２００は、画像入力部本体と、該本体の上部に搭載された原稿給紙ユニット２５０を備えている。画像出力部３００は、レーザドライバ３２１、感光ドラム３２３、現像器３２４、転写部３２５、給紙段カセット３１１、３１２、排紙ユニット３３０等を備えている。
【００２４】
画像入力部２００において、原稿給紙ユニット２５０は、原稿を先頭（最上面の原稿）から順に１枚ずつプラテンガラス２１１上へ給送し、原稿の読取動作が終了する毎に原稿をプラテンガラス２１１から排出トレイ（不図示）に排出する。コントローラユニット１００のＣＰＵ１０１は、原稿がプラテンガラス２１１上に給送されると、ランプ２１２を点灯し、移動ユニット２１３の移動を開始する。
【００２５】
コントローラユニット１００のＣＰＵ１０１は、移動ユニット２１３を移動させることにより、プラテンガラス２１１上の原稿に対する読取走査を行わせる。読取走査中の原稿からの反射光は、各ミラー２１４、２１５、２１６及びレンズ２１７を経てＣＣＤイメージセンサ（以下ＣＣＤと表記）２１８に導かれ、原稿の画像がＣＣＤ２１８の撮像面に結像される。ＣＣＤ２１８は、撮像面に結像された画像を電気信号に変換する。電気信号は、信号処理が施された後にコントローラユニット１００に入力される。
【００２６】
画像出力部３００において、レーザドライバ３２１は、コントローラユニット１００から出力された画像データに基づきレーザ発光部３２２を駆動する。これにより、レーザ発光部３２２からは画像データに応じたレーザ光が発光される。レーザ光は、走査されながら感光ドラム３２３上に照射される。感光ドラム３２３上には、照射されたレーザ光により静電潜像が形成される。静電潜像は、現像器３２４から供給されたトナーによりトナー像として可視像化される。
【００２７】
レーザ光の照射タイミングに同期して、給紙段カセット３１１、３１２から用紙が搬送路を介して感光ドラム３２３と転写部３２５との間に給紙される。感光ドラム３２３上のトナー像は、転写部３２５により用紙上に転写される。尚、本実施の形態では給紙段カセットは後述の図４に示すように複数設置されているが、図２では便宜上２つのみ図示している。また、給紙段カセット３１１、３１２の他に、手差しトレイ（不図示）からの給紙も可能である。手差しトレイは、画像形成装置の筐体側面に装着され、用紙の切り替えや給紙を容易に行うことができる。
【００２８】
トナー像が転写された用紙は、搬送ベルトを介して加熱ローラ及び加圧ローラから構成される定着ローラ対３２６に送られる。定着ローラ対３２６は、用紙を加熱及び加圧することで、用紙上のトナー像を定着させる。用紙の片面に画像形成を行う片面記録モードが設定されている場合は、定着ローラ対３２６を通過した用紙は、排紙ローラ対３２７により排紙ユニット３３０に排紙される。排紙ユニット３３０は、用紙に対しソート／ステイプル等の後処理を施す。
【００２９】
他方、用紙の両面に画像形成を行う両面記録モードが設定されている場合は、用紙は、排紙ローラ対３２７まで搬送された後、排紙ローラ対３２７の回転方向の逆転により、フラッパ３２８により再給紙搬送路３３９へ導かれる。再給紙搬送路３３９に導かれた用紙は、再給紙ローラ３２９により上述したタイミングで感光ドラム３２３と転写部３２５との間に再給紙される。これにより、用紙の裏面にトナー像が転写され、上記と同様に定着が行われた後、排紙ローラ対３２７により排紙ユニット３３０に排紙される。
【００３０】
図３は、画像形成装置の操作部１１２の構成を示す図である。
【００３１】
図３において、操作部１１２は、表面にタッチパネルシート３００１が貼り付けられたＬＣＤ表示部３００２、スタートキー３００３、ストップキー３００４、リセットキー３００５、テンキー群３００６を備えている。ＬＣＤ表示部３００２には、コントローラユニット１００のＣＰＵ１０１の制御により、後述する各種画面及びソフトキーが表示される。
【００３２】
ユーザによりＬＣＤ表示部３００２のソフトキーの表示部分が押されると、その位置情報がＣＰＵ１０１に伝達される。ここでは、ユーザがタッチパネル３００１を介してソフトキーを指示し、ＣＰＵ１０１によりソフトキーが押されたと判断することを、説明上、ソフトキーの押下と呼ぶ。スタートキー３００３は、原稿画像の読取動作を開始させる時などに用いる。ストップキー３００４は、実行中の動作を止める時に用いる。リセットキー３００５は、操作部の設定を初期化する時に用いる。テンキー群３００６は、数値の入力を行う際に用いる。
【００３３】
図４は、画像形成装置の操作部１１２のＬＣＤ表示部３００２に表示される用紙選択画面（メイン画面）を示す図である。図５は、手差し用紙変更予約画面（用紙サイズ選択）を示す図である。図６乃至図９は、手差し用紙変更予約画面（用紙種類選択）を示す図である。ここでは、特に、画像形成装置で印刷に使用する用紙を選択するための設定に関する各種画面について説明する。
【００３４】
図４において、用紙選択画面の自動用紙選択ボタン４０１は、自動用紙選択に用いる。自動用紙選択は、画像形成に関する用紙以外の設定情報（画像形成に必要な設定情報）を基に、最適な用紙サイズ及び用紙タイプを自動的に選択して印刷を実行させたい場合に指定する。画像形成に必要な設定情報は、例えば片面印刷／両面印刷、白黒印刷／カラー印刷、拡大印刷／縮小印刷の区別等の設定を示す情報であり、ユーザにより操作部１１２から入力されＲＡＭ１０２に保存される。
【００３５】
給紙段指定ボタン４０２は、複数の給紙段３１１、３１２に対応するボタンであり、所望の用紙を収納した給紙段からの給紙を指定する際に用いる。手差し給紙ボタン４０３は、手差しトレイからの用紙の給紙を指定する際に用いる。手差し用紙変更予約ボタン４０４は、手差し用紙変更予約を行う際に用いる。
【００３６】
手差しトレイは、給紙する用紙の切り替えが容易であるため、普段はあまり使用されない種類の用紙を一時的に使用する場合に用いることが多い。手差し用紙変更予約ボタン４０４により手差し用紙変更予約を指定する場合としては、以下の場合を含む。画像形成装置に連続して印刷ジョブを投入する場合。現在の印刷ジョブにおいて使用している手差し用紙を後から変更して印刷を行う場合。設定を先に行った後に用紙を手差しトレイにセットする場合。
【００３７】
図５において、手差し用紙変更予約画面（用紙サイズ選択）は、図４の用紙選択画面でユーザが手差し用紙変更予約ボタン４０４を指示したときに表示される画面である。ユーザは、本画面で手差しトレイに載置する印刷対象の用紙の用紙サイズ及び用紙タイプの情報（紙質）を設定する。ボタン類５０１は、用紙のサイズを指定する際に用いる。ボタン類５０１の各ボタン上には、用紙サイズとその向きを示す文字及びアイコンが表示されている。ユーザは、ボタン類５０１で示される用紙サイズの中から所望の用紙サイズを選択することができる。
【００３８】
ボタン類５０２は、規定の用紙サイズではなく特殊な用紙サイズを指定するためのものであり、用紙の長さをｍｍ単位やインチ単位で指定するユーザ設定サイズや、封筒やはがきのサイズを指定する際に用いる。ボタン５０３は、用紙サイズの指定を、ＩＳＯで規定されたＡ系／Ｂ系の用紙サイズ表示と、英米欧州などで使用されるインチを基にした用紙サイズ表示とを切り替える際に用いる。
【００３９】
設定取消ボタン５０４は、用紙の設定を取り消し、本画面を閉じる際に用いる。戻るボタン５０５は、本画面から図４の給紙段による用紙選択画面に戻る際に用いる。次へボタン５０６は、本画面における用紙サイズの設定を確定して、次に設定する用紙タイプの設定画面に移行させる際に用いる。ユーザは、本画面で手差しトレイにセットする用紙のサイズを選択した後、次へボタン５０６を指示することにより、次に用紙タイプの選択を行う。
【００４０】
図６において、手差し用紙変更予約画面（用紙種類選択）は、図５の画面でユーザが次へボタン５０６を指示したときに表示される簡易設定画面である。ボタン類（用紙タイプ指定ボタン）６０１は、厚さや紙質が普通紙と同等の用紙タイプを設定する際に用いる。ボタン類６０１の各ボタン上には、用紙タイプを示す文字及びアイコンが表示されている。ボタン類６０２は、特殊な厚さや紙質を持つ用紙タイプを設定する際に用いる。ボタン類６０２の各ボタン上には、ボタン類６０１と同様に、用紙タイプを示す文字及びアイコンが表示されている。
【００４１】
ユーザは、ボタン類６０１及び６０２の中の何れかから所望の用紙タイプを選択することができる。ボタン類６０１及び６０２には、予め決められた個数の用紙タイプしか表示されず、通常は使用する頻度の高い用紙タイプのみが表示される。しかし、用紙タイプは、用紙の坪量、光沢、表面処理の違いなどから数百もの種類が存在するため、本画面では表示しきれないものも数多く存在する。
【００４２】
詳細設定画面ボタン６０３が指示されると、用紙タイプの選択を行うための詳細一覧画面が操作部１１２に表示される。設定取消ボタン６０４は、上記設定取消ボタン５０４と同様に、用紙の設定を取り消し、本画面を閉じる際に用いる。戻るボタン６０５は、図５の手差し用紙変更予約画面に戻る際に用いる。ＯＫボタン６０６は、用紙タイプに関する設定を確定し、本画面を閉じる際に用いる。
【００４３】
尚、コントローラユニット１００のＣＰＵ１０１は、図６の簡易設定画面に表示する用紙タイプの情報については、ユーザにより以前編集された情報とそうでない情報とを区別して表示させる制御を行う。表示の区別は、文字／アイコン／マーク等の表示形態の違いや、それらの表示色／表示形状の違いなどが考えられる。
【００４４】
図７において、手差し用紙変更予約画面（用紙種類選択）は、図６の画面でユーザが詳細設定画面ボタン６０３を指定したときに表示されるリスト詳細設定画面である。本画面は、図６の画面と同様に用紙タイプを選択するための画面である。図６の画面は、用紙タイプを選択するボタンを配置したものである。これに対し、本画面は、用紙タイプをリスト形式で一覧表示することで一覧リストから用紙タイプをユーザに選択させるためのものである。
【００４５】
用紙タイプ一覧リスト７０１には、用紙タイプの種別を示すアイコン、用紙タイプの名称及び坪量が表示される。ユーザは、用紙タイプ一覧リスト７０１に表示された用紙タイプの中から所望の用紙タイプを指定する。ページ送りボタン類７０２は、用紙タイプ一覧リスト７０１で用紙タイプを１ページに表示しきれない場合、前後のページを表示させる際に用いる。用紙タイプは、数百種類に及ぶ場合があるので、ページ数もかなり多くなる可能性がある。その場合を考慮して、用紙タイプ一覧リスト７０１の先頭ページを表示させるためのボタンや最終ページを表示させるためのボタンも存在する。
【００４６】
リストのソート指定ボタン７０３は、用紙タイプ一覧リスト７０１における各用紙タイプの表示順を、何を基準に並べ替えるかを指示することができる。これについては図８で説明する。フィルタ指定ボタン７０４は、表示する用紙タイプの種別を指定する際に用いる。フィルタ指定ボタン７０４を指定すると、指定した種別の用紙タイプのみが用紙タイプ一覧リスト７０１に表示される。用紙タイプの種別としては、画像形成装置に予め登録されている用紙タイプか、ユーザ自身が登録した用紙タイプかなどを指定できる。
【００４７】
簡易設定画面ボタン７０５を指定すると、図６に示す用紙タイプの簡易設定画面が操作部１１２に表示される。これにより、ユーザは、予め指定した用紙タイプのみを表示する簡易設定画面（図６）を表示させるか、全ての用紙タイプを表示するリスト詳細設定画面（図７）を表示させるかを自由に変更することが可能となる。
【００４８】
詳細情報ボタン７０６を指定すると、用紙タイプ一覧リスト７０１において、現在選択されている用紙タイプの詳細情報を表示する詳細情報画面が表示される。
【００４９】
詳細情報画面に表示される用紙タイプの情報には、用紙タイプの名称の全文、坪量の他に、２転電流（転写部３２５の転写電流）、表面性（用紙の光沢の有無等）、定着温調（定着温度等）等がある。設定取消ボタン７０７は、用紙の設定を取り消し、本画面を閉じる際に用いる。戻るボタン７０８は、図５の手差し用紙変更予約画面に戻る際に用いる。ＯＫボタン７０９は、用紙タイプに関する設定を確定し、本画面を閉じる際に用いる。
【００５０】
尚、コントローラユニット１００のＣＰＵ１０１は、図７のリスト詳細設定画面に表示する用紙タイプの情報については、ユーザにより以前編集された情報とそうでない情報とを区別して表示させる制御を行う。表示の区別は、文字／アイコン／マーク等の表示形態の相違や、それらの表示色／表示形状の相違などが考えられる。
【００５１】
図８において、手差し用紙変更予約画面（用紙種類選択）は、図７の画面でユーザがリストのソート指定ボタン７０３を指定したときに表示される画面である。ソート順選択リスト８０１に表示された中から１つのソート順を選択することで、図７の用紙タイプ一覧リスト７０１の用紙タイプの表示順が、前記選択したソート順に切り替わる。ソート順選択リスト８０１に表示されるソート順には、用紙の登録順、用紙の名称の五十音順（アルファベットの場合はＡＢＣ順）、用紙の坪量順（坪量値の大小順）などがある。ソート順選択リスト８０１は、ユーザがソート順を指定すると自動的に閉じる。
【００５２】
図９において、手差し用紙変更予約画面（用紙種類選択）は、図８の画面でユーザがソート順選択リスト８０１のソート順を選択指示したときに表示される画面である。ここでは、ソート順として「坪量順」を指定したときの画面を示している。リスト９０１は、図７の用紙タイプ一覧リスト７０１と同じものであるが、用紙タイプは坪量の小さいものから順番に表示されている。これにより、ユーザは、用紙タイプを選択する際に、所望の用紙タイプを見つけ出す手段として用紙タイプを様々な方法でソートすることで、目的の用紙タイプを素早く選択することが可能になる。
【００５３】
次に、本実施の形態の画像形成装置における特徴的な処理手順について図１０及び図１１のフローチャートを参照しながら説明する。
【００５４】
図１０及び図１１は、画像形成装置の処理手順を示すフローチャートである。本処理手順はコントローラユニット１００のＲＯＭ１０３もしくはＨＤＤ１０４に格納されており、ＣＰＵ１０１により必要時に実行される。ユーザが図５の用紙サイズ選択画面で次へボタン５０６を選択したときに本処理手順が開始される。
【００５５】
図１０及び図１１において、先ずステップＳ１００１では、ＣＰＵ１０１は、ユーザにより操作部１１２から現在設定されＲＡＭ１０２に記憶されている用紙サイズ、印刷及び画像処理の機能設定を読み込む。ここで、印刷及び画像処理の機能設定とは、例えば片面印刷／両面印刷、白黒印刷／カラー印刷、拡大印刷／縮小印刷の区別等を示す設定である。次にステップＳ１００２では、ＣＰＵ１０１は、ステップＳ１００１で読み込んだ機能設定の各設定値を基に、設定選択可能な用紙タイプの条件を絞り込む。
【００５６】
次にステップＳ１００３では、ＣＰＵ１０１は、操作部１１２に表示された用紙選択画面において、ユーザにより下記の画面のうちどちらの画面の表示が指示されているかを操作部Ｉ／Ｆ１０６を介して判断する。ここで、画面とは、図６に示すボタンを配列した簡易設定画面、図７に示すリストで一覧表示するリスト詳細設定画面を指す。
【００５７】
ステップＳ１００３で簡易設定画面の表示が指示されていると判断した場合、ステップＳ１０１６で、ＣＰＵ１０１は、簡易設定画面に表示する用紙タイプに関する情報をＲＯＭ１０３又はＨＤＤ１０４から取得する。この場合、予め決められた数の用紙タイプに関する情報だけを取得すればよい。次にステップＳ１０１７では、ＣＰＵ１０１は、図６に示す用紙タイプの簡易設定画面を操作部Ｉ／Ｆ１０６を介して操作部１１２に表示させる。ＣＰＵ１０１は、簡易設定画面を表示した後は、ステップＳ１０１０からの処理を行う。
【００５８】
ステップＳ１００３でリスト一覧詳細設定画面の表示が指示されていると判断した場合、ステップＳ１００４で、ＣＰＵ１０１は、リスト一覧詳細設定画面に一覧表示する全ての用紙タイプに関する情報をＲＯＭ１０３又はＨＤＤ１０４から取得する。また、ステップＳ１００２で設定選択可能な用紙タイプの条件を絞り込んでいた場合、ＣＰＵ１０１は、用紙タイプの条件に適合する用紙タイプに関する情報のみを選別する。
【００５９】
次にステップＳ１００５では、ＣＰＵ１０１は、現在、用紙タイプ表示のためのフィルタが設定されているか（図７の画面でフィルタ指定ボタン７０４が指示されたか）どうかを判断する。ステップＳ１００５でフィルタが設定されていない（つまり、全ての用紙タイプを表示する設定になっている）と判断した場合、ＣＰＵ１０１は、ステップＳ１００７からの処理を行う。
【００６０】
ステップＳ１００５で何らかのフィルタが設定されていると判断した場合、ステップＳ１００６で、ＣＰＵ１０１は、次の処理を行う。ＣＰＵ１０１は、ステップＳ１００４で取得し選別した用紙タイプの中から更に現在設定されているフィルタの条件に適合する用紙タイプのみを選別する。
【００６１】
次にステップＳ１００７では、ＣＰＵ１０１は、現在、用紙タイプ表示のためのソート設定がされているかどうかを判断する。ステップＳ１００７でソート設定がされていないと判断した場合、ＣＰＵ１０１は、ステップＳ１００９からの処理を行う。ステップＳ１００７でソート設定がされていると判断した場合、ステップＳ１００８で、ＣＰＵ１０１は、現在設定されているソート条件に従い、ステップＳ１００４又はステップＳ１００６で選別された用紙タイプを並べ替える。
【００６２】
その後、ステップＳ１００９では、ＣＰＵ１０１は、選別もしくはソートされた用紙タイプのリスト一覧詳細設定画面（図７）を操作部Ｉ／Ｆ１０６を介して操作部１１２に表示させる。リスト一覧詳細設定画面の表示を行った後、ステップＳ１０１０で、ＣＰＵ１０１は、ユーザからの入力待ちに移行する。ユーザから操作部１１２により入力が行われた場合、先ずステップＳ１０１１で、ＣＰＵ１０１は、ユーザから入力された指示がソート設定の切り替え指示かどうかを判断する。
【００６３】
ステップＳ１０１１でソート設定の切り替え指示であると判断した場合、ＣＰＵ１０１は、ステップＳ１００８の処理に戻る。ステップＳ１０１１でソート設定の切り替え指示ではないと判断した場合、ステップＳ１０１２で、ＣＰＵ１０１は、ユーザから入力された指示が表示フィルタの切り替え指示かどうかを判断する。
【００６４】
ステップＳ１０１２で表示フィルタの切り替え指示であると判断した場合、ＣＰＵ１０１は、ステップＳ１００６の処理に戻る。ステップＳ１０１２で表示フィルタの切り替え指示ではないと判断した場合、ステップＳ１０１３で、ＣＰＵ１０１は、ユーザから入力された指示が画面表示切り替え指示であるかどうかを判断する。ここで、画面表示切り替え指示とは、簡易画面表示またはリスト一覧詳細表示に切り替えることを示す指示である。
【００６５】
ステップＳ１０１３で画面表示切り替え指示であると判断した場合、ＣＰＵ１０１は、ステップＳ１００３の処理に戻る。ステップＳ１０１３で画面表示切り替え指示ではないと判断した場合、ステップＳ１０１４で、ＣＰＵ１０１は、ユーザから入力された指示が設定確定指示であるかどうかを判断する。即ち、ＣＰＵ１０１は、図６の画面のＯＫボタン６０６もしくは図７の画面のＯＫボタン７０９の押下による指示であるかどうかを判断する。
【００６６】
ステップＳ１０１４で設定確定指示ではないと判断した場合、ステップＳ１０１８で、ＣＰＵ１０１は、その他のデフォルト処理を行う。デフォルト処理は、印刷するページの切り替えや用紙タイプの詳細情報表示指示等の一連の処理であるが、本発明とは直接関係がないため、詳細な説明は省略する。ＣＰＵ１０１は、デフォルト処理を行った後、ステップＳ１０１０の処理に戻る。ステップＳ１０１４で設定確定指示であると判断した場合、ステップＳ１０１５で、ＣＰＵ１０１は、現在選択されている用紙タイプを、画像形成のための設定条件としてＲＡＭ１０２に保存し、本処理を終了する。
【００６７】
以上説明したように、本実施の形態によれば、リスト一覧詳細設定画面の表示が指示された場合、全ての用紙タイプに関する情報を操作部１１２にリスト形式で一覧表示させる。また、簡易設定画面の表示が指示された場合、予め決められた数の用紙タイプに関する情報を操作部１１２に表示させる。この結果、非常に種類が多い用紙タイプの中からユーザが目的とする用紙タイプを素早く選択することが可能となる。これにより、用紙を選択する際のユーザの利便性及び作業効率を向上させることが可能となる。
【００６８】
［第２の実施の形態］
本発明の第２の実施の形態は、上述した第１の実施の形態に対して、下記の点において相違する。本実施の形態のその他の要素は、第１の実施の形態（図１乃至図３）の対応するものと同一である。本実施の形態では、第１の実施の形態との差異について説明するものとし、第１の実施の形態と同じ部分については説明を省略する。
【００６９】
本実施の形態では、機能フィルタによりリスト一覧に表示される用紙タイプの選別を行う。図７の画面でフィルタ指定ボタン７０４により指定する用紙タイプのフィルタは、画像形成装置で予め定義されている基本用紙タイプか、ユーザが後から編集して設定したユーザ設定用紙タイプの何れかである。これに対し、本実施の形態では、設定機能に適合した用紙タイプのみをフィルタリングして表示することを可能としている。
【００７０】
図１２は、画像形成装置の操作部１１２に表示される手差し用紙変更予約画面（用紙種類選択）を示す図である。
【００７１】
図１２において、手差し用紙変更予約画面は、図７の画面でユーザがフィルタ指定ボタン７０４を指定したときに表示される画面である。フィルタ指示ダイアログ１１０１では、一覧リストに表示する用紙タイプの種別を指定することができる。通常は、全ての用紙タイプを表示させる、画像形成装置で予め定義されている用紙タイプを表示させる、ユーザが定義した用紙タイプを表示させる、等の選択が可能となっている。フィルタ指示ダイアログ１１０１においては、上記の選択に加え、機能フィルタの選択が可能となっている。
【００７２】
図１３は、手差し用紙変更予約画面（用紙種類選択）を示す図である。
【００７３】
図１３において、手差し用紙変更予約画面は、図１２の画面でユーザがフィルタ指示ダイアログ１１０１から機能フィルタを選択したときに表示される画面である。用紙タイプは、用紙の坪量や表面処理などにより、両面印刷やステイプル処理など、設定可能な機能に制限を持つものがある。ユーザは、本画面において、どの機能設定に適合した用紙タイプのみを表示させたいかを選択することができる。
【００７４】
機能フィルタボタン１２０１を指示することで、ユーザはフィルタをかけたい具体的な機能（両面、ステイプル、製本、パンチ）を設定する。ここでは、両面とステイプルを選択し、これら２つの機能が設定可能な用紙タイプのみを表示させるものとする。キャンセルボタン１２０２は、本画面の設定を取り消し、本画面を閉じる際に用いる。ＯＫボタン１２０３は、機能フィルタにおける設定を確定し、本画面を閉じる際に用いる。
【００７５】
図１４は、手差し用紙変更予約画面（用紙種類選択）を示す図である。
【００７６】
図１４において、手差し用紙変更予約画面は、図１３の画面でユーザが機能フィルタボタン１２０１により機能フィルタを設定した後、ＯＫボタン１２０３を押下したときに表示される画面である。図１３の画面では、機能フィルタとして両面とステイプルの２つを指示した。これにより、用紙タイプ一覧表示リスト１３０１には、両面印刷及びステイプル処理の設定が可能な用紙タイプのみが表示されている。
【００７７】
次に、本実施の形態の画像形成装置における特徴的な処理手順について図１５のフローチャートを参照しながら説明する。
【００７８】
図１５は、画像形成装置の処理手順を示すフローチャートである。本処理手順はコントローラユニット１００のＲＯＭ１０３もしくはＨＤＤ１０４に格納されており、ＣＰＵ１０１により実行される。本実施の形態では、図１０に示したフローチャートのステップＳ１００６内の処理のみが変更になる。ステップＳ１００６内の処理について記載したものが図１５に示すフローチャートである。
【００７９】
図１５において、先ずステップＳ１４０１では、ＣＰＵ１０１は、現在、機能フィルタが設定指示されているかどうかを判断する。ステップＳ１４０１で機能フィルタが設定されていないと判断した場合、ＣＰＵ１０１は、ステップＳ１４０５の処理を行う。ステップＳ１４０５では、ＣＰＵ１０１は、図１０のステップＳ１００６と同様に、ステップＳ１００４で取得し選別した用紙タイプの中から更に現在設定されている機能フィルタの条件に適合する用紙タイプのみを選別する。
【００８０】
ステップＳ１４０１で機能フィルタが設定されていると判断した場合、ＣＰＵ１０１は、ステップＳ１４０２で、ユーザにより実際に設定されている機能フィルタの内容と数をＲＡＭ１０２から取得する。次にステップＳ１４０３では、ＣＰＵ１０１は、１つの機能フィルタの機能とその機能を適合可能な用紙タイプの各条件を判断し、適合可能な用紙タイプのみを選別する。
【００８１】
次にステップＳ１４０４では、ＣＰＵ１０１は、設定されている全ての機能フィルタについてステップＳ１４０３の処理を行ったかどうかを判断する。ステップＳ１４０４で全ての機能フィルタについて処理を行っていないと判断した場合、ＣＰＵ１０１は、まだ処理を行っていない機能について、ステップＳ１４０３からの処理を繰り返す。ステップＳ１４０４で全ての機能フィルタについて処理を行っていると判断した場合、ＣＰＵ１０１は、本処理を終了し、以下、図１０のステップＳ１００７からの処理を行う。
【００８２】
上述したように、従来は、機能を先に設定してからでないとその機能に対応した用紙タイプがフィルタリングされなかった。そのため、用紙タイプを必ず最後に設定したり、目的の機能設定に適合した用紙タイプの種別をユーザが自分自身で判断して選択したりする必要があった。
【００８３】
これに対し、本実施の形態では、図１３に示したように、コントローラユニット１００のＣＰＵ１０１が用紙タイプの選択画面に各機能（両面、ステイプル、製本、パンチ）に対応した機能フィルタを表示させる。これにより、ユーザは画像形成装置の様々な機能に適合した用紙のタイプを特別な知識を必要とすることなく、簡単に選択することが可能となる。
【００８４】
以上説明したように、本実施の形態によれば、一覧リストに表示する用紙タイプ種別として機能フィルタを選択した場合、使用する機能（両面、ステイプル、製本、パンチ）に適合した用紙タイプに関する情報を操作部１１２に表示させる。この結果、非常に種類が多い用紙タイプの中からユーザが目的とする用紙タイプを素早く選択することが可能となる。これにより、用紙を選択する際のユーザの利便性及び作業効率を向上させることが可能となる。
【００８５】
［他の実施の形態］
上記第１及び第２の実施の形態では、画像入力部及び画像出力部を有する画像形成装置（複写機）を例に挙げたが、これに限定されるものではない。本発明は、画像出力部のみを有する画像形成装置（プリンタ）にも適用することができる。
【００８６】
上記第２の実施の形態では、機能フィルタに対応する機能として両面、ステイプル、製本、パンチを例に挙げたが、これに限定されるものではない。画像形成装置の仕様に応じた機能とすることができる。
【００８７】
また、本発明の目的は、前述した各実施の形態の機能を実現するソフトウェアのプログラムコードを記憶した記憶媒体を、本画像形成装置を具備する本画像形成システム或いは装置に供給し、該画像形成システム或いは装置のコンピュータ（またはＣＰＵやＭＰＵ等）が記憶媒体に格納されたプログラムコードを読み出し実行することによりも達成される。例えば、本画像形成装置とデータ通信可能な、印刷対象の印刷ジョブを送信可能なホストコンピュータ等の外部の情報処理装置に当該プログラムを供給可能にし、上述の構成と同等の構成を実行可能に構成しても良い。
【００８８】
この場合、記憶媒体から読み出されたプログラムコード自体が前述した各実施の形態の機能を実現することになり、そのプログラムコード及び該プログラムコードを記憶した記憶媒体は本発明を構成することになる。
【００８９】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００９０】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理により前述した各実施の形態の機能が実現される場合も含まれる。
【００９１】
更に、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵ等が実際の処理の一部または全部を行い、その処理により前述した各実施の形態の機能が実現される場合も含まれる。
【図面の簡単な説明】
【００９２】
【図１】本発明の第１の実施の形態に係る画像形成装置の構成を示すブロック図である。
【図２】画像形成装置の概略構造を示す構成図である。
【図３】画像形成装置の操作部の構成を示す図である。
【図４】画像形成装置の操作部に表示される用紙選択画面を示す図である。
【図５】手差し用紙変更予約画面（用紙サイズ選択）を示す図である。
【図６】手差し用紙変更予約画面（用紙種類選択）を示す図である。
【図７】手差し用紙変更予約画面（用紙種類選択）を示す図である。
【図８】手差し用紙変更予約画面（用紙種類選択）を示す図である。
【図９】手差し用紙変更予約画面（用紙種類選択）を示す図である。
【図１０】画像形成装置の処理手順を示すフローチャートである。
【図１１】図１０の続きを示すフローチャートである。
【図１２】本発明の第２の実施の形態に係る画像形成装置の操作部に表示される手差し用紙変更予約画面（用紙種類選択）を示す図である。
【図１３】手差し用紙変更予約画面（用紙種類選択）を示す図である。
【図１４】手差し用紙変更予約画面（用紙種類選択）を示す図である。
【図１５】画像形成装置の処理手順を示すフローチャートである。
【符号の説明】
【００９３】
１０１  ＣＰＵ（制御手段）
１０２  ＲＡＭ
１０３  ＲＯＭ（記憶手段）
１０４  ＨＤＤ（記憶手段）
１１２  操作部（表示手段、入力手段）
６０１、６０２  用紙タイプ選択ボタン
７０１  用紙タイプ一覧リスト
７０４  フィルタ指定ボタン
１１０１  フィルタ指示ダイアログ
１２０１  機能フィルタボタン
【図１】
2007243313.tif 000003
【図２】
2007243313.tif 000004
【図３】
2007243313.tif 000005
【図４】
2007243313.tif 000006
【図５】
2007243313.tif 000007
【図６】
2007243313.tif 000008
【図７】
2007243313.tif 000009
【図８】
2007243313.tif 000010
【図９】
2007243313.tif 000011
【図１０】
2007243313.tif 000012
【図１１】
2007243313.tif 000013
【図１２】
2007243313.tif 000014
【図１３】
2007243313.tif 000015
【図１４】
2007243313.tif 000016
【図１５】
2007243313.tif 000017